(57)【要約】      （修正有）【課題】アンテナに接続された集積回路ＩＣを有する身分証明書、ＩＤカード等のようなデータキャリアの加工を高い生産能力を維持しつつ、簡単な構成で実現するするための方法及び装置を提供する。【解決手段】データキャリアは少なくとも１つのプログラミング装置３４、３５による入力を受ける。ＩＣ１２は、データキャリア１１の相対的な静止位置において、非接触でプログラミングされる。【選択図】  図１
2005322197.tif 000002
【特許請求の範囲】
【請求項１】
アンテナに接続された集積回路（ＩＣ）を有する身分証明書、ＩＤカード等のようなデータキャリア（１１）を加工するための方法であって、
前記データキャリア（１１）は、少なくとも１つのプログラミング装置（３４、３５、１３４）による入力を受け、前記データキャリアのＩＣ（１２）は前記プログラミング装置によって相対的な静止位置においてプログラミングされるようになっていることを特徴とする方法。
【請求項２】
前記ＩＣ（１２）は、それぞれ、前記データキャリア（１１）の相対的な静止位置において非接触でプログラミングされるようになっていることを特徴とする請求項１に記載の方法。
【請求項３】
前記ＩＣ（１２）は、それぞれ、文字、数字及び記号、特に数字によってプログラミングされるようになっており、前記文字、数字及び記号は、これらの組の１つから前記データキャリア（１１）に付与されるようになっていることを特徴とする請求項１又は請求項２に記載の方法。
【請求項４】
前記ＩＣ（１２）は、それぞれ、別の文字、数字及び記号、例えばランダムに発生せしめられた別の数字によってプログラミングされるようになっており、前記別の文字、数字及び記号は、前記データキャリア（１１）に関係付けられていることを特徴とする請求項１〜請求項３のいずれかに記載の方法。
【請求項５】
前記ＩＣ（１２）のそれぞれの内部には、統合されたアプリケーションを備えたオペレーションシステムが搭載されていることを特徴とする請求項１〜請求項４のいずれかに記載の方法。
【請求項６】
前記ＩＣ（１２）は、前記データキャリア（１１）毎にパーソナライズされ、及び／又は初期化されるようになっていることを特徴とする請求項１〜請求項５のいずれかに記載の方法。
【請求項７】
前記ＩＣ（１２）は、それぞれ、少なくとも１つの暗号化キー（対称的なキー）、又は暗号化キーペア（非対称的なキー）によってプログラミングされるようになっていることを特徴とする請求項１〜請求項６のいずれかに記載の方法。
【請求項８】
前記ＩＣ（１２）の内部において、キーペア（プライベートキー、パブリックキー）が要求に応じて発生せしめられるようになっていることを特徴とする請求項７に記載の方法。
【請求項９】
前記パブリックキーは、前記ＩＣ（１２）から選択されるようになっていることを特徴とする請求項８に記載の方法。
【請求項１０】
前記ＩＣ（１２）は、それぞれ、写真的な特徴、住所、署名等々に対応する個人に関するデータ、特に、指紋、虹彩像、写真的な特徴的な特徴等々のようなバイオメトリックデータによってプログラミングされるようになっていることを特徴とする請求項１〜請求項９のいずれかに記載の方法。
【請求項１１】
検査のために、データが前記ＩＣ（１２）から読み出されて、正確にチェックされるようになっていることを特徴とする請求項１〜請求項１０のいずれかに記載の方法。
【請求項１２】
前記データキャリア（１１）は、軌道（１３）上を前記データキャリアの長さ毎に間欠的に前進運動せしめられ、プログラミングのために前記軌道（１３）から分岐搬送され、プログラミングを実行する少なくとも１つのプログラミング装置（３４、３５、１３４）による入力を受けた後、間欠的なさらなる搬送のために、前記軌道（１３）上又は別の軌道（１４）上に戻されるようになっていることを特徴とする請求項１〜請求項１１のいずれかに記載の方法。
【請求項１３】
前記軌道（１３）から分岐搬送されたデータキャリア（１１）はプログラミングのための十分な時間を確保するために静止位置を与えられるようになっていることを特徴とする請求項１２に記載の方法。
【請求項１４】
前記静止時間は、約２秒又はそれ以上の時間、例えば、約３０秒又はそれ以上であることを特徴とする請求項１３に記載の方法。
【請求項１５】
前記データキャリア（１１）は、例えば、前記軌道（１３）から交互に少なくとも２本又はそれ以上の隣接する軌道（２７、２８）に分岐搬送され、前記隣接する軌道（２７、２８）は少なくとも１つのプログラミング装置（３４、３５）に関係付けられ、さらに、前記データキャリア（１１）は前記隣接軌道（２７、２８）上においてプログラミングのための十分な時間を確保するために静止位置に保持され、その後、さらなる間欠的な搬送のために、例えば前記軌道（１４）に戻されるようになっていることを特徴とする請求項１２〜請求項１４のいずれかに記載の方法。
【請求項１６】
前記データキャリア（１１）は、それぞれ、２つ又はそれ以上の連続するデータキャリア（１１）の組として、前記軌道（１３）から前記隣接する軌道（２７、２８）に分岐搬送されるようになっていることを特徴とする請求項１５に記載の方法。
【請求項１７】
前記データキャリアの組は、前記隣接する軌道（２７、２８）のそれぞれにおいて、前記組の長さに相当するストロークで互いに間欠的に前進運動せしめられ、各ストロークの間に静止位置に留まってプログラミングされるようになっていることを特徴とする請求項１６に記載の方法。
【請求項１８】
前記プログラミング装置（３４、３５）は、前記データキャリア（１１）毎に、前記隣接する軌道（２７、２８）のそれぞれの上において関係付けられたプログラミングユニット（３６、３７）、特に、プログラミングヘッドを有していることを特徴とする請求項１２〜請求項１７のいずれかに記載の方法。
【請求項１９】
前記プログラミング装置（３４、３５）は、前記データキャリア（１１）毎に、関係する前記隣接する軌道（２７、２８）上において、前記組のそれぞれの数に対応する数の間隔をあけて配置されたプログラミングユニット（３６）と、前記組の数に対応する数の互いに隣接する再読出しのための検査ユニットとして使用されるプログラミングユニット（３７）とを有し、前記プログラミングユニット（３６、３７）は、それぞれ、前記隣接する軌道（２７、２８）上の前記データキャリア（１１）の静止位置に関係付けられていることを特徴とする請求項１２〜請求項１８のいずれかに記載の方法。
【請求項２０】
前記軌道は、直線状の供給軌道（１３）及び搬出軌道（１４）として形成されていることを特徴とする請求項１２〜請求項１９のいずれかに記載の方法。
【請求項２１】
前記データキャリア（１１）の前記供給軌道（１３）からの分岐搬送、及び前記データキャリア（１１）の前記搬出軌道（１４）上への戻し搬送は、それらを横切ってのびる引き渡し軌道（２０）上において実行され、前記引き渡し軌道（２０）は少なくとも２本の又はそれ以上の隣接する軌道（２７、２８）、並びに前記供給軌道（１３）及び前記搬出軌道（１４）に接続されていることを特徴とする請求項１２〜請求項２０のいずれかに記載の方法。
【請求項２２】
前記データキャリア（１１）は、少なくとも１つのプログラミング装置（１３４）から入力を受けるようになっており、前記プログラミング装置（１３４）は、１つの軌道に沿って、垂直方向又は水平方向に連続して配置され、又は円軌道のようなエンドレスの曲線状軌道に沿って連続して配置されるとともに、前記データキャリア（１１）を受け取るための多数の連続的に配置されたステーション（０〜２９）を有し、前記ステーション（０〜２９）は前記データキャリア（１１）のプログラミングのためのプログラミングユニット（１３６）を有していることを特徴とする請求項１〜請求項２０のいずれかに記載の方法。
【請求項２３】
前記データキャリア（１１）は、少なくとも１つのプログラミング装置（１３４）の一方の側においてそれに関係するステーション（０〜２９）内に取り込まれ、プログラミングのために静止位置に保持されるようになっており、さらに、前記プログラミングの後、その軌道の同一の側又は反対側において個々の前記ステーション（０〜２９）から再び送り出されるようになっていることを特徴とする請求項２２に記載の方法。
【請求項２４】
前記少なくとも１つのプログラミング装置（１３４）は、駆動装置（１３８）によって前記軌道に沿って１ストローク毎に運動可能となっていて、１つの方向（１３９）への運動の間に２番目、３番目又はｎ番目のステーションのそれぞれに前記データキャリア（１１）が載せられ、また、これと反対の方向の運動（１４０）の間に、必要に応じて、既にデータキャリアに載せられたステーションの間に位置する２番目、３番目又はｎ番目のステーションのそれぞれには前記データキャリア（１１）が載せられ、前記データキャリア（１１）が載せられたステーションは、静止時間に前記データキャリア（１１）のＩＣに対するプログラミングを実行し、前記プログラミング装置（１３４）はプログラミングの後、同様の方法で、１ストローク毎に間欠的に運動可能となっていて、前記プログラミングされたデータキャリア（１１）は前記ステーションから引き渡され、空の前記ステーション内に次のプログラムすべきデータキャリア（１１）が取り込まれるようになっていることを特徴とする請求項２２又は請求項２３に記載の方法。
【請求項２５】
請求項１〜請求項２４のいずれかに記載の方法を実施するに適したデータキャリアの加工装置であって、
データキャリア（１１）の長さに対応するストロークで、供給方向に沿ってかつ引き渡し装置（２０）の領域内に向けて作動する供給装置（１３）、例えば搬送ベルト（１６）を有し、前記搬送ベルト（１６）上を前記データキャリア（１１）が互いに間隔をあけて前後に連続して前進運動可能になっていることを特徴とする装置。
【請求項２６】
前記引き渡し装置（２０）は、複数の実質上互いに平行にのびるコンベヤベルト（２２）、特に、歯付きＶベルトを有し、前記コンベヤベルト（２２）には装置（２４）が支持され、さらに、前記装置（２４）は、例えば、上下運動によるデータキャリア（１１）の取り入れ及び前記コンベヤベルト（２２）による横方向への搬送に適した構成を有していることを特徴とする請求項２５に記載の装置。
【請求項２７】
前記引き渡し装置（２０）は、例えば、４本又はそれ以上のコンベヤベルト（２２）を有し、各２本の前記コンベヤベルト（２２）は前記データキャリア（１１）を一緒に取り込むために使用され、前記コンベヤベルト（２２）は２つ又はそれ以上の前後に連続して配置されたデータキャリア（１１）を前記供給装置（１３）から同時にかつ一緒に１つの組として取り込み、前記供給装置（１３）を横切る方向において、直線状の搬送駆動、とりわけ、搬送装置（２７、２８）に引き渡すようになっていることを特徴とする請求項２５又は請求項２６に記載の装置。
【請求項２８】
各組の数に対応する数の実質上互いに平行にのびる搬送装置（２７、２８）を備え、前記搬送装置は前記引き渡し装置（２０）から交互に、組の数に対応する数の前後に連続して配置されたデータキャリア（１１）を取り入れるようになっていること特徴とする請求項２５〜請求項２７のいずれかに記載の装置。
【請求項２９】
前記引き渡し装置（２０）は、前記供給装置（１３）及び前記搬送装置（２７、２８）の上方に配置されていることを特徴とする請求項２５〜請求項２８のいずれかに記載の装置。
【請求項３０】
前記搬送装置（２７、２８）は、それぞれ、一定数の前後に実質上同じ間隔をあけて連続するスペース及び搬送突起（３３）を有し、前記スペース及び搬送突起（３３）によってデータキャリア（１１）の取り込みがなされるようになっていることを特徴とする請求項２５〜請求項２９のいずれかに記載の装置。
【請求項３１】
前記搬送装置（２７、２８）毎に、第１のスペース及び搬送突起（３３）が前記引き渡し装置（２０）から１組の前記データキャリア（１１）を取り込むために設けられ、次に続くスペース及び搬送突起（３３）は個々のプログラミング装置（３４、３５）に関係付けられて、前記搬送装置の上に静止したデータキャリア（１１）のＩＣ（１２）のプログラミングのために使用され、最後のスペース及び搬送突起（３３）は、１組のデータキャリア（１１）の引き渡しのために、前記引き渡し装置（２０）に対応して形成された横方向にのびる取り入れ装置（２１）に隣接して設けられていることを特徴とする請求項３０に記載の装置。
【請求項３２】
前記搬送装置（２７、２８）が、それぞれ、長さ方向にのびる支持部材の形態を有する直線状の搬送機構（２９、３０）を有していることを特徴とする請求項２５〜請求項３１のいずれかに記載の装置。
【請求項３３】
前記搬送装置（２７、２８）は、それぞれ、駆動装置（３１）によって１ストローク毎に間欠駆動されて、１ストローク毎に搬送方向に進められ、この１ストロークの長さはデータキャリアの組の全長に対応していることを特徴とする請求項２５〜請求項３２のいずれかに記載の装置。
【請求項３４】
前記取り入れ装置（２１）は、前記搬出装置（１４）に関係付けられ、前記搬出装置（１３）に対応して形成されていることを特徴とする請求項２５〜請求項３３のいずれかに記載の装置。
【請求項３５】
前記供給及び搬出装置（１３、１４）は、個別の又は共通の駆動装置（１９）によって駆動されて、前記データキャリア（１１）の長さに対応するストローク長の間欠的駆動がなされるようになっていることを特徴とする請求項２５〜請求項３４のいずれかに記載の装置。
【請求項３６】
前記プログラミング装置（１３４）は、１つの実質上垂直な軌道に沿って案内され、移動せしめられる、個々のステーション（１４２）を備えたマガジン（１４１）を有していることを特徴とする請求項２２に記載の装置。
【請求項３７】
前記プログラミング装置（１３４）は、水平面内又は垂直面内に整列して配置されたマガジンを有し、前記マガジンは、垂直又は水平面内に連続して配置されたステーションを有していることを特徴とする請求項２２に記載の装置。
【請求項３８】
前記プログラミング装置（１３４）は、直線状のかつ実質上水平な１つの軌道に沿って案内され、移動せしめられる、ステーション１４２を備えたマガジンと、それに関係するプログラミングユニット（１３６）とを有していることを特徴とする請求項２２に記載の装置。
【請求項３９】
前記マガジン（１４１）は、供給軌道及び搬出軌道の間において、これらの軌道を横切って配置され、かつ運動せしめられ得るようになっていることを特徴とする請求項３８に記載の装置。
【請求項４０】
前記データキャリア（１１）は、前記マガジン（１４１）の個々のステーション（１４２）内に垂直な姿勢で取り入れられ、かつ保持されるようになっていることを特徴とする請求項３８又は請求項３９に記載の装置。
【請求項４１】
前記データキャリア（１１）は、前記ステーション（１４２）への取り入れ前、及び前記ステーションからの引き渡しの後、水平な姿勢及び垂直な姿勢の間において回転せしめられ、例えば、水平な姿勢で供給及び搬出され、垂直な姿勢で前記ステーション（１４２）内に案内され、そしてここで加工され、前記加工の後、そこから前進運動せしめられるようになっていることを特徴とする請求項３８〜請求項４０のいずれかに記載の装置。
【請求項４２】
前記マガジン（１４１）は、基板（２５０）と、この基板に接続して保持され、実質上櫛形状の突出する側板（２５１）とを有し、前記側板（２５１）のそれぞれの間に形成された間隙（２５２）は、前記データキャリア（１１）の取り込みのために使用され、前記データキャリア（１１）は、前記間隙の間において、例えば、クランプヘッドによって吊り下げ状態又は直立状態に保持され得るようになっていることを特徴とする請求項３８〜請求項４１のいずれかに記載の装置。
【請求項４３】
前記側板（２５１）は、アンテナ（２５５）及び遮蔽部材（２５６）を有し、それぞれの前記側板（２５１）は、プログラミングユニット（１３６）に関係付けられていて、前記プログラミングユニット（１３６）は前記アンテナ（２５５）に接続されていることを特徴とする請求項４２に記載の装置。
【請求項４４】
前記マガジン（１４１）は、駆動装置（１３８）、好ましくはラック（２６１）を有し、前記ラック（２６１）は、前記駆動装置（１３８）の駆動歯車（２６０）に作動的に連結されていることを特徴とする請求項３８〜請求項４３のいずれかに記載の装置。
【請求項４５】
前記マガジン（１４１）は、前記側板（２５１）の面を横切る方向に沿って運動せしめられるようになっていることを特徴とする請求項３８〜請求項４４のいずれかに記載の装置。
【請求項４６】
前記マガジン（１４１）、特に、前記側板（２５１）を備えた前記基板（２５０）は、前記データキャリア（１１）の供給面に対して上向きに動いた後、再び、例えば障害発生時における調節のために、前記データキャリア（１１）の搬出面上に戻るように動かされ得るようになっていることを特徴とする請求項３５〜請求項４０のいずれかに記載の装置。
【請求項４７】
前記マガジン（１４１）の領域内には、実質上前記データキャリア（１１）の搬送軌道の高さレベルにおいて、下側の支持装置（２６５）が設けられ、前記支持装置（２６５）によって、前記データキャリア（１１）はそれぞれ下側から支持されて前記搬送軌道から持上げられ、その後、前記クランプヘッド（２５３）によって保持され、加工がなされた後、再び下向きに下げられるようになっていることを特徴とする請求項３８〜請求項４６のいずれかに記載の装置。
【請求項４８】
前記支持装置（２６５）は、前記マガジン（１４１）の方向に沿って、前記搬送軌道から横方向に間隔をあけて配置されていること特徴とする請求項４７に記載の装置。
【請求項４９】
前記支持装置（２６５）は、駆動装置（２６６）によって回転可能に、並びに上下運動可能に配置されていることを特徴とする請求項４７又は請求項４８に記載の装置。
【請求項５０】
前記支持装置（２６５）は、支持円板（２６７）を有していることを特徴とする請求項４７〜請求項４９のいずれかに記載の装置。
【請求項５１】
前記支持円板（２６７）は、実質上星形に形成されていて、個々の突出したアーム（２６８）を備え、前記アーム（２６８）は、順々に、下側支持部材として搬送軌道の領域内及び前記データキャリア（１１）の下側において前記データキャリアを上下させるべく運動可能となっていることを特徴とする請求項４７〜請求項５０のいずれかに記載の装置。
【発明の詳細な説明】
【技術分野】
【０００１】
本発明は、アンテナ（アンテナ回路）に接続された集積回路（ＩＣ）を有する身分証明書、ＩＤカード等のようなデータキャリアを加工するための方法及び装置に関するものである。
【背景技術】
【０００２】
例えば身分証明書のようなデータキャリアは、アンテナに接続された集積回路（ＩＣ）、いわゆるＲＦＩＤチップを有しており、非接触でデータ通信が可能となっている。データキャリアの有するＩＣは、初期化及び／又は事前の個人情報入力がなされていなければならない。これは集中的又は分散的になされる。集中的な個人情報入力（ｚｅｎｔｒａｌｅ  Ｐｅｒｓｏｎａｌｉｓｉｅｒｕｎｇ）においては、データキャリアは可能な限り全ての情報を、１つの中央入力ステーション（ｚｅｎｔｒａｌｅ  Ｓｔｅｌｌｅ）において集中的に加工（入力）される。この場合、例えば予め準備された表面に身分証明書番号を印刷、又は刻印するために、更にその他の申請者個人情報も必要とされる。更に、この申請者の個人情報及びバイオメトリックデータ（指紋、虹彩像、顔写真的な特徴等）がＩＣの中に入力されなければならない。多数の情報、特にバイオメトリックデータに基づく集中的入力には、例えば１０秒から３０秒間といった比較的長い時間が必要となる。例えば１分間あたり５０個の加工を行う速度で作動する設備を用いて、例えば身分証明書のようなデータキャリアを加工するには、多数のプログラミング装置が必要である。
【０００３】
分散的に加工（入力）する場合、特に身分証明書のようなデータキャリアは、最初に中央入力ステーションにおいて、例えば印刷又は刻印により、数字のみを付与される。ＩＣはこの中央入力ステーションにおいて、完全に初期化され得る。更に、ＩＣの内部にはそれぞれ異なる個々の搬送キーが備えられるが、対応する分散的な個人情報入力ステーションが、関係するマスターキーと身分証明書番号から、導き出される。更に、身分証明書番号は、ＩＣに書き込まれる。数字や個々のキーを格納することは搬送エラーを回避するのに役立ち、中央入力ステーションと個々の分散的な個人情報入力ステーションの間にあるデータキャリアが、誤った進路に搬送され、又は盗まれて偽造されることを防止する。個人情報等の情報を格納する個人情報入力は、個々の個人情報入力ステーションにより分散的に行われる。例えば身分証明書のようなデータキャリアの分散的な加工において、中央入力ステーションにおけるＩＣプログラミングに必要な時間は、集中的な加工の場合と比較して確実に短くなる。例えば身分証明書のようなデータキャリアを加工する従来の装置では、プログラミングに要する時間を短縮するのは困難であり、生産速度は遅く、生産量が減少する。
【発明の開示】
【発明が解決しようとする課題】
【０００４】
本発明の課題は、複雑な構成を有し、高コストなプログラミングステーションを用いずに、機械的に前方へ搬送する短い間欠ストロークにより、高い生産能力を維持しつつ、データキャリアのＩＣのプログラミングを可能とすることにある。
【課題を解決するための手段】
【０００５】
上記課題は、本発明によれば、アンテナに接続された集積回路（ＩＣ）を有する身分証明書、ＩＤカード等のようなデータキャリアを加工するための方法であって、前記データキャリアは、少なくとも１つのプログラミング装置による入力を受け、前記データキャリアのＩＣは前記プログラミング装置によって相対的な静止位置においてプログラミングされるようになっていることを特徴とする方法によって解決される。
【０００６】
好ましい実施例によれば、前記ＩＣは、それぞれ、前記データキャリアの相対的な静止位置において非接触でプログラミングされるようになっている。
【０００７】
別の好ましい実施例によれば、前記ＩＣは、それぞれ、文字、数字及び記号、特に数字によってプログラミングされるようになっており、前記文字、数字及び記号は、これらの組の１つから前記データキャリアに付与されるようになっている。
【０００８】
更に別の好ましい実施例によれば、前記ＩＣは、それぞれ、別の文字、数字及び記号、例えばランダムに発生せしめられた別の数字によってプログラミングされるようになっており、前記別の文字、数字及び記号は、前記データキャリアに関係付けられている。
【０００９】
更に別の好ましい実施例によれば、前記ＩＣのそれぞれの内部には、統合されたアプリケーションを備えたオペレーションシステムが搭載されている。
【００１０】
更に別の好ましい実施例によれば、前記ＩＣは、前記データキャリア毎にパーソナライズされ、及び／又は初期化されるようになっている。
【００１１】
更に別の好ましい実施例によれば、前記ＩＣは、それぞれ、少なくとも１つの暗号化キー（対称的なキー）、又は暗号化キーペア（非対称的なキー）によってプログラミングされるようになっている。
【００１２】
更に別の好ましい実施例によれば、前記ＩＣの内部において、キーペア（プライベートキー、パブリックキー）が要求に応じて発生せしめられるようになっている。
【００１３】
更に別の好ましい実施例によれば、前記パブリックキーは、前記ＩＣから選択されるようになっている。
【００１４】
更に別の好ましい実施例によれば、前記ＩＣは、それぞれ、写真的な特徴、住所、署名等々に対応する個人に関するデータ、特に、指紋、虹彩像、写真的な特徴的な特徴等々のようなバイオメトリックデータによってプログラミングされるようになっている。
【００１５】
更に別の好ましい実施例によれば、検査のために、データが前記ＩＣから読み出されて、正確にチェックされるようになっている。
【００１６】
更に別の好ましい実施例によれば、前記データキャリアは、軌道上を前記データキャリアの長さ毎に間欠的に前進運動せしめられ、プログラミングのために前記軌道から分岐搬送され、プログラミングを実行する少なくとも１つのプログラミング装置による入力を受けた後、間欠的なさらなる搬送のために、前記軌道上又は別の軌道上に戻されるようになっている。
【００１７】
更に別の好ましい実施例によれば、前記軌道から分岐搬送されたデータキャリアはプログラミングのための十分な時間を確保するために静止位置を与えられるようになっている。
【００１８】
更に別の好ましい実施例によれば、前記静止時間は、約２秒又はそれ以上の時間、例えば、約３０秒又はそれ以上である。
【００１９】
更に別の好ましい実施例によれば、前記データキャリアは、例えば、前記軌道から交互に少なくとも２本又はそれ以上の隣接する軌道に分岐搬送され、前記隣接する軌道は少なくとも１つのプログラミング装置に関係付けられ、さらに、前記データキャリアは前記隣接軌道上においてプログラミングのための十分な時間を確保するために静止位置に保持され、その後、さらなる間欠的な搬送のために、例えば前記軌道に戻されるようになっている。
【００２０】
更に別の好ましい実施例によれば、前記データキャリアは、それぞれ、２つ又はそれ以上の連続するデータキャリアの組として、前記軌道から前記隣接する軌道に分岐搬送されるようになっている。
【００２１】
更に別の好ましい実施例によれば、前記データキャリアの組は、前記隣接する軌道のそれぞれにおいて、前記組の長さに相当するストロークで互いに間欠的に前進運動せしめられ、各ストロークの間に静止位置に留まってプログラミングされるようになっている。
【００２２】
更に別の好ましい実施例によれば、前記プログラミング装置は、前記データキャリア毎に、前記隣接する軌道のそれぞれの上において関係付けられたプログラミングユニット、特に、プログラミングヘッドを有している。
【００２３】
更に別の好ましい実施例によれば、前記プログラミング装置は、前記データキャリア毎に、関係する前記隣接する軌道上において、前記組のそれぞれの数に対応する数の間隔をあけて配置されたプログラミングユニットと、前記組の数に対応する数の互いに隣接する再読出しのための検査ユニットとして使用されるプログラミングユニットとを有し、前記プログラミングユニットは、それぞれ、前記隣接する軌道上の前記データキャリアの静止位置に関係付けられている。
【００２４】
更に別の好ましい実施例によれば、前記軌道は、直線状の供給軌道及び搬出軌道として形成されている。
【００２５】
更に別の好ましい実施例によれば、前記データキャリアの前記供給軌道からの分岐搬送、及び前記データキャリアの前記搬出軌道上への戻し搬送は、それらを横切ってのびる引き渡し軌道上において実行され、前記引き渡し軌道は少なくとも２本の又はそれ以上の隣接する軌道、並びに前記供給軌道及び前記搬出軌道に接続されている。
【００２６】
更に別の好ましい実施例によれば、前記データキャリアは、少なくとも１つのプログラミング装置から入力を受けるようになっており、前記プログラミング装置は、１つの軌道に沿って、垂直方向又は水平方向に連続して配置され、又は円軌道のようなエンドレスの曲線状軌道に沿って連続して配置されるとともに、前記データキャリアを受け取るための多数の連続的に配置されたステーションを有し、前記ステーションは前記データキャリアのプログラミングのためのプログラミングユニットを有している。
【００２７】
更に別の好ましい実施例によれば、前記データキャリアは、少なくとも１つのプログラミング装置の一方の側においてそれに関係するステーション内に取り込まれ、プログラミングのために静止位置に保持されるようになっており、さらに、前記プログラミングの後、その軌道の同一の側又は反対側において個々の前記ステーションから再び送り出されるようになっている。
【００２８】
更に別の好ましい実施例によれば、前記少なくとも１つのプログラミング装置は、駆動装置によって前記軌道に沿って１ストローク毎に運動可能となっていて、１つの方向への運動の間に２番目、３番目又はｎ番目のステーションのそれぞれに前記データキャリアが載せられ、また、これと反対の方向の運動の間に、必要に応じて、既にデータキャリアに載せられたステーションの間に位置する２番目、３番目又はｎ番目のステーションのそれぞれには前記データキャリアが載せられ、前記データキャリアが載せられたステーションは、静止時間に前記データキャリアのＩＣに対するプログラミングを実行し、前記プログラミング装置はプログラミングの後、同様の方法で、１ストローク毎に間欠的に運動可能となっていて、前記プログラミングされたデータキャリアは前記ステーションから引き渡され、空の前記ステーション内に次のプログラムすべきデータキャリアが取り込まれるようになっている。
【００２９】
また、上記課題は、本発明請求項１〜請求項２４のいずれかに記載の方法を実施するに適したデータキャリアの加工装置であって、データキャリアの長さに対応するストロークで、供給方向に沿ってかつ引き渡し装置の領域内に向けて作動する供給装置、例えば搬送ベルトを有し、前記搬送ベルト上を前記データキャリアが互いに間隔をあけて前後に連続して前進運動可能になっていることを特徴とする装置によって解決される。
【００３０】
好ましい実施例によれば、前記引き渡し装置は、複数の実質上互いに平行にのびるコンベヤベルト、特に、歯付きＶベルトを有し、前記コンベヤベルトには装置が支持され、さらに、前記装置は、例えば、上下運動によるデータキャリアの取り入れ及び前記コンベヤベルトによる横方向への搬送に適した構成を有している。
【００３１】
別の好ましい実施例によれば、前記引き渡し装置は、例えば、４本又はそれ以上のコンベヤベルトを有し、各２本の前記コンベヤベルトは前記データキャリアを一緒に取り込むために使用され、前記コンベヤベルトは２つ又はそれ以上の前後に連続して配置されたデータキャリアを前記供給装置から同時にかつ一緒に１つの組として取り込み、前記供給装置を横切る方向において、直線状の搬送駆動、とりわけ、搬送装置に引き渡すようになっている。
【００３２】
更に別の好ましい実施例によれば、各組の数に対応する数の実質上互いに平行にのびる搬送装置を備え、前記搬送装置は前記引き渡し装置から交互に、組の数に対応する数の前後に連続して配置されたデータキャリアを取り入れるようになっている。
【００３３】
更に別の好ましい実施例によれば、前記引き渡し装置は、前記供給装置及び前記搬送装置の上方に配置されている。
【００３４】
更に別の好ましい実施例によれば、前記搬送装置は、それぞれ、一定数の前後に実質上同じ間隔をあけて連続するスペース及び搬送突起を有し、前記スペース及び搬送突起によってデータキャリアの取り込みがなされるようになっている。
【００３５】
更に別の好ましい実施例によれば、前記搬送装置毎に、第１のスペース及び搬送突起が前記引き渡し装置から１組の前記データキャリアを取り込むために設けられ、次に続くスペース及び搬送突起は個々のプログラミング装置に関係付けられて、前記搬送装置の上に静止したデータキャリアのＩＣのプログラミングのために使用され、最後のスペース及び搬送突起は、１組のデータキャリアの引き渡しのために、前記引き渡し装置に対応して形成された横方向にのびる取り入れ装置に隣接して設けられている。
【００３６】
更に別の好ましい実施例によれば、前記搬送装置が、それぞれ、長さ方向にのびる支持部材の形態を有する直線状の搬送機構を有している。
【００３７】
更に別の好ましい実施例によれば、前記搬送装置は、それぞれ、駆動装置によって１ストローク毎に間欠駆動されて、１ストローク毎に搬送方向に進められ、この１ストロークの長さはデータキャリアの組の全長に対応している。
【００３８】
更に別の好ましい実施例によれば、前記取り入れ装置は、前記搬出装置に関係付けられ、前記搬出装置に対応して形成されている。
【００３９】
更に別の好ましい実施例によれば、前記供給及び搬出装置は、個別の又は共通の駆動装置によって駆動されて、前記データキャリアの長さに対応するストローク長の間欠的駆動がなされるようになっている。
【００４０】
更に別の好ましい実施例によれば、前記プログラミング装置は、１つの実質上垂直な軌道に沿って案内され、移動せしめられる、個々のステーションを備えたマガジンを有している。
【００４１】
更に別の好ましい実施例によれば、前記プログラミング装置は、水平面内又は垂直面内に整列して配置されたマガジンを有し、前記マガジンは、垂直又は水平面内に連続して配置されたステーションを有している。
【００４２】
更に別の好ましい実施例によれば、前記プログラミング装置は、直線状のかつ実質上水平な１つの軌道に沿って案内され、移動せしめられる、ステーション１４２を備えたマガジンと、それに関係するプログラミングユニットとを有している。
【００４３】
更に別の好ましい実施例によれば、前記マガジンは、供給軌道及び搬出軌道の間において、これらの軌道を横切って配置され、かつ運動せしめられ得るようになっている。
【００４４】
更に別の好ましい実施例によれば、前記データキャリアは、前記マガジンの個々のステーション内に垂直な姿勢で取り入れられ、かつ保持されるようになっている。
【００４５】
更に別の好ましい実施例によれば、前記データキャリアは、前記ステーションへの取り入れ前、及び前記ステーションからの引き渡しの後、水平な姿勢及び垂直な姿勢の間において回転せしめられ、例えば、水平な姿勢で供給及び搬出され、垂直な姿勢で前記ステーション内に案内され、そしてここで加工され、前記加工の後、そこから前進運動せしめられるようになっている。
【００４６】
更に別の好ましい実施例によれば、前記マガジンは、基板と、この基板に接続して保持され、実質上櫛形状の突出する側板とを有し、前記側板のそれぞれの間に形成された間隙は、前記データキャリアの取り込みのために使用され、前記データキャリアは、前記間隙の間において、例えば、クランプヘッドによって吊り下げ状態又は直立状態に保持され得るようになっている。
【００４７】
更に別の好ましい実施例によれば、前記側板は、アンテナ及び遮蔽部材を有し、それぞれの前記側板は、プログラミングユニットに関係付けられていて、前記プログラミングユニットは前記アンテナに接続されている。
【００４８】
更に別の好ましい実施例によれば、前記マガジンは、駆動装置、好ましくはラックを有し、前記ラックは、前記駆動装置の駆動歯車に作動的に連結されている。
【００４９】
更に別の好ましい実施例によれば、前記マガジンは、前記側板の面を横切る方向に沿って運動せしめられるようになっている。
【００５０】
更に別の好ましい実施例によれば、前記マガジン、特に、前記側板（２５１）を備えた前記基板は、前記データキャリアの供給面に対して上向きに動いた後、再び、例えば障害発生時における調節のために、前記データキャリアの搬出面上に戻るように動かされ得るようになっている。
【００５１】
更に別の好ましい実施例によれば、前記マガジンの領域内には、実質上前記データキャリアの搬送軌道の高さレベルにおいて、下側の支持装置が設けられ、前記支持装置によって、前記データキャリアはそれぞれ下側から支持されて前記搬送軌道から持上げられ、その後、前記クランプヘッドによって保持され、加工がなされた後、再び下向きに下げられるようになっている。
【００５２】
更に別の好ましい実施例によれば、前記支持装置は、前記マガジンの方向に沿って、前記搬送軌道から横方向に間隔をあけて配置されている。
【００５３】
更に別の好ましい実施例によれば、前記支持装置は、駆動装置によって回転可能に、並びに上下運動可能に配置されている。
【００５４】
更に別の好ましい実施例によれば、前記支持装置は、支持円板を有している。
【００５５】
更に別の好ましい実施例によれば、前記支持円板は、実質上星形に形成されていて、個々の突出したアームを備え、前記アームは、順々に、下側支持部材として搬送軌道の領域内及び前記データキャリアの下側において前記データキャリアを上下させるべく運動可能となっている。
【発明を実施するための最良の形態】
【００５６】
以下本発明が、図示の実施例に基づいて、より詳細に説明される。
【００５７】
図１乃至図３には、本発明の第一の実施例による、データキャリア１１を加工する装置１０が示されている。データキャリア１１の場合には、原則、異なった材料で形成されていることが重要であり、図示の実施例では、このデータキャリアは特に身分証明書やＩＤカード等のような識別手段であることが重要である。例えば身分証明書のようなデータキャリア１１は、図示されているように、アンテナと接続された集積回路（ＩＣ）１２を有する。このような集積回路（ＩＣ）１２はチップとも呼ばれる。それらは非接触のデータ通信を可能とする。このようなＩＣ１２を備えたデータキャリア１１を加工するのに使用する装置１０は、間欠的に作動し、入口に供給装置１３と、出口に供給装置１３に対応するように形成された搬出装置１４を有している。供給装置１３は、矢印１５で示された方向に、データキャリア１１の長さに対応する間欠運動のストロークで作動する。供給装置１３と搬出装置１４は、それぞれコンベヤーベルト１６、１７を有している。コンベヤーベルトは搬送突起１８を有しており、これは実質上同じ間隔で前後連続し、コンベヤーベルト１６、１７の上面に十分な長さだけ張り出している。その搬送突起をデータキャリア１１に当接させる構成により、コンベヤーベルト１６、１７による前方への搬送が保証される。供給装置１３及び搬出装置１４は、個別の又は共通の駆動装置１９によって駆動されるようになっており、例えば身分証明書のようなデータキャリア１１の長さに対応する、間欠運動のストロークで搬送する。
【００５８】
供給装置１３は、引渡装置２０の領域内へ向かって作動する。引渡装置２０は、供給装置１３に関係付けられている。これに対応して、搬出装置１４の領域内には、搬出装置１４と共同して動く、取込装置２１が配置される。引渡装置２０と取込装置２１は、同一の構成を有するように形成され得る。引渡装置２０について、更に詳しく説明する。この装置は実質上互いに平行で、かつ供給装置１３の作動方向に対して横向きに進行する、数本の搬送ベルト２２を有する。搬送ベルト２２は、例えば歯付Ｖベルトとから成っていても良い。図示の実施例では、引渡装置２０及び取込装置２１に対して、４本の搬送ベルトが配置される。各４本の搬送ベルト２２の代わりに、引渡装置２０及び取込装置２１のそれぞれに対して、より多くの搬送ベルトを配置することができる。いずれの搬送ベルト２２も、回転ハンドル２３に案内される。回転ハンドル２３は、図で概略を示された駆動装置２３ａによって、方向転換される。特に、いずれの搬送ベルト２２も、図２において番号２４と付された装置を支持している。装置２４は、例えば上下運動を行うことにより、データキャリア１１の取り込み、引き渡しを行う。さらに装置２４は、各搬送ベルト２２の並進運動により、取り込まれたデータキャリア１１を、図２の左方向又は右方向へ横方向搬送する。特にこの構成では、取込装置２１の例えば２本の搬送ベルト２２が、それぞれデータキャリア１１を一緒に取り込むために使用される。この場合、隣り合う両搬送ベルト２２の装置２４は、データキャリア１１を同時かつ一緒に取り込む。このため装置２４は、供給装置１３の高さの中間の高さレベルに位置する。好ましくは、搬送ベルト２２は供給装置１３から２つ、又はそれ以上の連続して配置されたデータキャリア１１を、同時かつ一緒に、１つの組として取り出し、供給装置１３を横切って、図の矢印２５に示す左方向又は矢印２６に示す右方向に動いて、データキャリア１１を搬送装置２７、２８の搬送軌道上に引き渡すことができるように構成される。図２に示されるように、引渡装置２０は、供給装置１３及び搬送装置２７、２８の上方に配置され、その場所で、供給装置１３からデータキャリア１１を取り込む。更に、引渡装置２０は矢印２５で示される、搬送装置２７へ向かう方向、又は矢印２６で示される搬送装置２８へ向かう方向に、交互にデータキャリア１１を搬送し、搬送装置２７、２８に引き渡す。図示の実施例では、互いに実質上平行に伸びる２つの搬送装置が配置される。図示されてない他の実施例では、より多くの搬送装置が配置される。その数は、連続的に配列されたデータキャリアの組がどれくらいかによる。データキャリアの組は、供給装置１３から引渡装置２０によって同時かつ一緒に引き渡され、更に、直線状の搬送軌道を有する搬送装置２７、２８の上を、図中矢印２５の方向又は矢印２６の方向に搬送される。図示の実施例では、連続的に配列された２つのデータキャリア１１が１組として選択される。そのデータキャリア（図中Ｋ、Ｌ）の組は、装置１０の１ストロークで、引渡装置２０から同時に、一対として矢印２５の方向へ搬送され、搬送装置２７上に移動せしめられる。この例においては、データキャリア１１の組は２つのデータキャリアから成るので、引渡装置２０とそれに対応して構成された取込装置２１は、それぞれ同時に作動する２対の搬送ベルト２２を有する。そして２つの搬送装置２７、２８が直線的搬送のために関係付けられる。搬送装置２７、２８は、引渡装置２０から、連続的に配列されたデータキャリア１１の数に対応する一定数の組が交互に供給される。図示の実施例では、搬送装置２７、２８は、２つのデータキャリアＫ、Ｌ又はＭ、Ｎをそれぞれ供給される。
【００５９】
いずれの搬送装置も、例えば長さ方向に延びる支持部材のような形態の、直線的な搬送軌道２９、３０を有している。搬送装置２７が、概略的に図示された駆動装置３１によって断続的に駆動されるため、搬送装置２７、２８は、常に、１ストローク毎に搬送動作を行う。その作動ストロークは、データキャリアの全長に対応しており、図示の実施例においては、２つのデータキャリア１１からなる組の全長である。この場合、この作動ストロークは矢印３２により示されている。
【００６０】
搬送装置２７、２８はいずれも、前後にほぼ等間隔に連なる、スペースと搬送突起３３を有している。スペースと搬送突起３３はいずれも、データキャリア１１の取り込みのために設けられている。各搬送装置２７、２８の個々のスペースはそれほど重要ではなく、端部にある搬送突起３３が重要である。搬送装置２７、２８のスペース上に、データキャリア１１が載置される。搬送装置２７、２８の、引渡装置２０から取込装置２１までの間の領域において、データキャリア１１の加工のための静止時間が生じる。この静止時間において、データキャリア１１に対する、特に非接触のプログラミングが行われる。これに加えて、搬送装置２７、２８には、少なくとも１つのプログラミング装置３４、３５が配置される。図示の実施例においては、プログラミング装置３４はプログラミングユニット３６、特にプログラミングヘッドを有している。同じように、搬送装置２８には、全てのデータキャリア１１のために配置されたプログラミングユニット３７、特にプログラミングヘッドが配置された、プログラミング装置３５を有している。
【００６１】
各搬送装置２７、２８には、引渡装置２０から１組のデータキャリア１１を取り込むために、第一の２つのスペース及び搬送突起３３が配列される。引渡装置２０との接続部に続く４つのスペースと搬送突起３３に対して、個々のプログラミングユニット３６、３７が、それぞれ関係付けられる。プログラミングユニット３６、３７は、静止位置において、データキャリア１１のＩＣ１２に対してプログラミングを行う。最後の２つのスペース及び搬送突起３３は、取込装置２１に関係付けられており、１組のデータキャリア１１を引き渡すために、取込装置２１の位置に配列される。
【００６２】
装置１０においては、少なくとも１つのプログラミング装置３４、３５が、個々のデータキャリア１１に対して配置される。データキャリア１１におけるＩＣ１２は、プログラミング装置３４、３５により、相対的な静止位置において、非接触的にプログラミングがなされる。プログラミングは、個々のプログラミングユニット３６、３７により、約２秒間の静止時間において実行される。各搬送装置２７、２８において、最初のプログラムユニット３６、３７は、連なる他のプログラムユニット３６、３７が読み出し装置として作動している間に、プログラミングを行う。
【００６３】
間欠的に作動する装置１０の運転時には、供給装置１３により、個々のデータキャリア１１が供給される。そのとき、個々のデータキャリア１１は、データキャリアの進行方向の長さ毎に、間欠的に推し進められる。図１に示された段階では、供給装置１３により、記号Ｋ、Ｌを付された一対のデータキャリア１１が搬送される。これら一対のＫ、Ｌは、供給装置１３から引渡装置２０により、同時にかつ一緒に取り出され、図の矢印２６に示す右方向にある搬送装置２８に引き渡され得る。そのとき、供給装置１３は、１ストローク推し進められ、スペース上のデータキャリアＭ、Ｎは、図の矢印１５に示すように前方へ搬送される。装置１０の次のストロークにおいて、データキャリアＫ、Ｌは、搬送装置２８により、図の矢印３２に対応する作動ストローク分、推し進められる。その作動ストロークの長さは、記号Ｋ、Ｌと付されたデータキャリアの組の全長に対応する。最終的に、データキャリアＫ、Ｌは、図１の、一対のデータキャリアＧ、Ｈがある場所に到達する。データキャリアＫ、Ｌは、プログラミングするのに十分な時間、その場所に留まる。その際、関係付けられたプログラミングユニット３７により、データキャリアＫ、Ｌのプログラミングが行われる。搬送装置２８における次の作動ストロークは、装置１０の第４ストロークにより生じる。そのとき、一対のデータキャリアＫ、Ｌは、データキャリアＣ、Ｄがあった場所へ到達する。この装置１０の第４ストロークにより、データキャリアＫ、Ｌはその位置に関係付けられた各プログラミングユニット３７の領域に到達する。そこで、プログラムの読み取りチェックが行われる。更に、データキャリアは、読み取りのための十分な時間、その場所に留まる。プログラミング装置３５によりプログラミングされた一対のデータキャリアは、取込装置２１の領域に搬送され、搬出順序が維持されたまま、搬送装置２８から搬出装置１４上に取り込まれる。一対のデータキャリアＫ、Ｌは、図１においてデータキャリアＧ、Ｈが載せられている搬送装置２８の２つの第一スペース上に到達したとすると、一対のデータキャリアＫ、Ｌは、装置の第４ストロークまでその上に留まる。装置の第４ストロークにより、データキャリアＫ、Ｌは、図のＣ、Ｄの位置に到達する。装置の第４ストロークの後、データキャリアＫ、Ｌは、そこから図１の搬送装置２８上の何も載せられていないスペースに到達する。このスペースは、他方の搬送装置２７上のＡ、Ｂが載せられているスペースに対応する。引渡装置２０により、一対のデータキャリアはそれぞれ交互に、搬送装置２７へ向かう図中の矢印２５の方向と、搬送装置２８へ向かう矢印２６の方向へ引き渡される。搬送装置２７上に引き渡されるデータキャリアについても、搬送装置２８に関して上述したのと同様のステップと時間間隔で、引き渡される。
【００６４】
図示の実施例においては、一対のデータキャリアから成る組のための装置１０が説明されているが、３つ又はそれ以上のデータキャリアから成る組であっても良い。装置１０は、搬送装置２７、２８に対応する３つ又はそれ以上の搬送装置を備えることができる。この場合、データキャリア１１の組の、搬送装置の領域に留まる静止時間がより長くなる。搬送装置の領域にはプログラミング装置３４、３５が関係付けられ、データキャリア１１のプログラミング及び読み出しチェックが行われる。そのとき、ＩＣ１２のプログラミングを行う時間がより多く得られ、時間当たりのデータキャリアの加工数をより多くすることができる。
【００６５】
装置１０は、特にＩＣ１２を備えた身分証明書のようなデータキャリア１１を、分散ラインにおいて集中的に加工するための装置である。この場合、各データキャリア１１のＩＣ１２は、文字、数字及び記号、例えば数字によりプログラミングされ、データキャリア１１の組が付与される。更に、各ＩＣ１２は、別の文字、数字及び記号、例えばランダムに発生せしめられた別の数字によってプログラミングされる。別の文字、数字及び記号は、データキャリア１１に関係付けられる。更に、各ＩＣ１２の内部には、統合されたアプリケーションを備えたオペレーションシステムが搭載され得る。装置１０は、プログラミング装置３４、３５により、各データキャリアのＩＣ１２をパーソナライズ、及び／又は初期化する。その場合、各ＩＣ１２に対して少なくとも１つの暗号化キー又は暗号化キーペアがプログラミングされ得る。暗号化キーは対称的なキーであり、暗号化キーペアは非対称的なキーである。各ＩＣ１２の内部において、キーペア（プライベートキー又はパブリックキー）が要求に応じて発生せしめられる。この場合、後者はＩＣ１２から読み出される。
【００６６】
搬送装置２７、２８の形態における、平行な並列軌道上に、個々のデータキャリア１１が供給されることにより、多数の並列軌道を通して、データキャリア１１のＩＣ１２をプログラミングするための、より長い静止時間が達成される。写真、住所、署名のような個人情報、特に指紋、虹彩像、写真的な特徴等のバイオメトリックデータが、プログラミング又はパーソナライズされ得る。これらのデータを検査するために、ＩＣ１２は加工により読み出され、正確にチェックされ得る。
【００６７】
装置１０により、データキャリア１１は、供給装置１３の前方に設けられた軌道上を、データキャリアの長さ毎に間欠的に前進運動せしめられ、プログラミングのために、引渡装置２０により、この軌道上に分岐搬送せしめられる。そしてデータキャリアに対し、少なくとも１つのプログラミング装置３４、３５が与えられる。データキャリア１１は、間欠的な更なる前方搬送のために、同じ軌道上又は別の軌道上、例えば搬出装置１４の軌道上に、再び戻される。供給装置１３の前方に設けられた軌道に分岐搬送されたデータキャリア１１は、それぞれプログラミングのための十分な静止時間である約２秒又はそれ以上の時間を与えられる。この静止時間が確保されることにより、データキャリア１１は、搬送装置２７、２８を通る、少なくとも２本の並列軌道上を、交互に前方搬送せしめられる。また、データキャリア１１が、少なくとも１つのプログラミング装置３４、３５が設けられた２本以上の並列軌道上を強制的に搬送せしめられることにより、これらの静止時間が確保される。並列軌道上のデータキャリア１１には、静止位置において、プログラミングに十分な時間がもたらされる。次に、間欠的に前方搬送するために、同じ軌道上又は別の軌道上に戻される。データキャリア１１は、Ｉ、Ｊ又はＧ、Ｈの組、２つのデータキャリアから成る他の組、又は図示しない実施例におけるより多くのデータキャリアから成る組として、供給装置１３の前方に設けられた軌道から、平行な並列軌道に分岐搬送せしめられ、搬送装置２７、２８を通って更に前方へ搬送される。並列軌道２７、２８及びこれ以外の軌道において、データキャリアのＩ、Ｊ又はＧ、Ｈの組及び相対して置かれたその他の組は、間欠的に、組の長さに対応したストロークで前進運動せしめられる。この場合、静止位置に留まっている間に、関係するプログラミング装置３４、３５により、プログラミングがなされる。各並列軌道２７、２８のプログラミング装置３４、３５はいずれも、組の数と対応した数の間隔をあけて配置されたプログラミングユニットを有している。各並列軌道２７、２８のプログラミング装置３４、３５は更に、図示の実施例では第一プログラミングユニット３６、３７及び、組の数と対応した数だけ接続され、再読み出しのためのチェックを行うプログラミングユニットを有している。各並列軌道に、プログラミングユニット３６、３７が設けられる。プログラミングユニット３６、３７はいずれも、並列軌道上におけるデータキャリア１１の静止位置と関係付けられている。
【００６８】
供給を行う軌道及び搬出を行う軌道は、それぞれ直線的な供給軌道及び直線的な搬出軌道として構成され、供給装置１３又は搬出装置１４は、これら軌道を通じて前方搬送を行う。データキャリアの供給軌道１３からの分岐搬送又はデータキャリアの搬出軌道１４への戻し搬送は、横方向に延びる各引渡軌道において生じる。この引渡軌道は、少なくとも２本又はそれ以上の並列軌道と、供給装置１３及び搬出装置１４との接続部に配置される。この場合、引渡軌道は、引渡装置２０又は取込装置２１を通るように形成される。
【００６９】
装置１０は単純な構成であり、コスト的にも有利である。この場合、装置１０は関連する機械と共に使用され得る。装置１０は身分証明書の製造に使用され、例えば、１分当たり５０ストロークで作動する。これらの機械は、比較的高速度で作動させることができる。
【００７０】
図４には、本発明の第二の実施例による、データキャリア１１の加工装置１１０が示されている。データキャリア１１は特に、アンテナと接続された集積回路（ＩＣ）を有する身分証明書である。図４において、第一の実施例と対応する構成要素には同一の番号が付与され、以下では詳細な説明が省略される。
【００７１】
装置１１０により、集中的加工においても分散的加工においても、データキャリア１１を集中的に加工することが可能となる。この場合、ＩＣは、特に数字のような文字、数字及び記号により、プログラミングされる。更に、各ＩＣは、例えば製造番号のような別の情報をプログラミングされ、データキャリア１１と関係付けられる。更に、各ＩＣには、統合的なアプリケーションを有したオペレーテイングシステムが搭載され得る。また、少なくとも１つの暗号化キー（対称的キー）又はペアキー（非対称的キー）がプログラミングされ得る。ＩＣの内部に、要求に応じてキーペア（プライベートキー、パブリックキー）が生じせしめられ得る。パブリックキーはＩＣから読み出され、プライベートキーは読み出されない。装置１１０において、各ＩＣは更に、写真、住所及び署名等の個人情報、特に、指紋、虹彩像、写真的な特徴等のバイオメトリックデータがプログラミングされる。この場合、個々のデータの検査のために、ＩＣに入力されたこれらのデータが正確であるかがチェックされる。例えば身分証明書のような、データキャリア１１の単一ライン加工では、約１０秒から３０秒という、より長いプログラミング時間が生じる。装置１１０は、少なくとも１つのプログラミング装置１３４を有し得る。プログラミング装置１３４は、連続して配置される、データキャリア１１の受取ステーション（０〜２９）を有する。この場合、ステーション（０〜２９）のいくつかは、データキャリア１１の非接触プログラミングを行うプログラミングユニット１３６を有している。この装置１１０において、データキャリア１１は、例えば概略的に図示された供給装置１３により、関係する各ステーション（０〜２９）の内、少なくとも１つのプログラミング装置１３４の上面を、矢印１５の方向へ搬送可能となる。プログラミングされた後、データキャリア１１は、図４に示されるように、プログラミング装置１３４のこの面、又は別の面上を、例えば図示された搬出装置１４により、ステーション（０〜２９）から再び引き渡される。
【００７２】
少なくとも１つのプログラミング装置１３４は、概略を図示された駆動装置１３８によって運動可能となっていて、矢印１３９方向への運動の間に、２番目、３番目又はｎ番目のステーションのそれぞれにデータキャリア１１が載せられ、また、これと反対の矢印１４０方向への運動の間に、必要に応じて、既にデータキャリアに載せられたステーションの間に位置する２番目、３番目又はｎ番目のステーションのそれぞれに、データキャリア１１が載せられることを特徴とする。データキャリア１１が載せられたステーションは、静止時間に、データキャリア１１のＩＣに対するプログラミングを実行する。プログラミングの後、プログラミング装置１３４は、同様の方法で、１ストローク毎に間欠的に運動可能となっている。プログラミングされたデータキャリア１１は、ステーションから引き渡され、空のステーション内に次のプログラムすべきデータキャリア１１が取り込まれるようになっている。
【００７３】
この場合、装置１１０の運転は、例えば矢印１３９方向へ１ステーションおきに移動し、及び相対する矢印１４０方向へ、同じく１ステーションおきに移動をすることにより、既にデータキャリアが配置されている２つのステーションの間に、データキャリア１１が載せられるようになされ得る。この場合、データキャリアが載せられたステーションにおいて、データキャリア１１のＩＣに対するプログラミングが行われる。装置１１０は、駆動装置１３８により、例えば矢印１３９の方向へ移動せしめられ、それによってデータキャリア１１は、供給装置１３により、例えば０、２、４、６・・・２８番のステーションに載せられる。相対する矢印１４０への移動により、データキャリア１１は、例えば２９、２７、２５・・・１番のステーションに載せられる。この間、他のステーションにあるデータキャリア１１は、非接触にプログラミングされ得る。プログラミング済みのデータキャリア１１は、そのステーションから図４の右方向へ引き渡され得る。この場合、プログラミング装置１３４は、駆動装置１３８により、矢印１３９の方向へ移動せしめられ、それによって、例えば０、２、４、６、８・・・２８番のステーションについて、「空」ステーションと「占有」ステーションが生じる。このとき、他のステーションにおいて、さらにデータキャリア１１のプログラミングが行われる。データキャリアのプログラミングの後、データキャリアは、プログラミング装置１３４の矢印１４０方向への移動により、例えばステーション番号２９、２７、２５、２３・・・１の順序で、右方向へ向かって「空」ステーションを、同時に左方向から入って「占有」ステーションを生じせしめる。
【００７４】
装置１１０は、例えば３０秒又はそれ以上の長い静止時間における、データキャリア１１の加工を可能とする。この時間により、例えば身分証明書としてのデータキャリア１１は、完全に集中的な個人情報入力がなされ得る。この場合、身分証明書の加工装置の加工速度は、例えば一分間あたり５０個といったように、制限されなくてもよい。
【００７５】
図５乃至７には、本発明による第三の実施例における、データキャリア１１の加工装置２１０が示されている。データキャリア１１は特に身分証明書として構成され、アンテナと接続された集積回路（ＩＣ）を有する。第三の実施例において、第一、第二の実施例と対応している構成要素は、同一の番号が付され、詳細な説明が省略される。
【００７６】
図４に示すプログラム装置１３４は、１つの実質上垂直な軌道に沿って案内され、移動せしめられる、個々のステーション１４２を備えたマガジン１４１を有し、データキャリア１１はそこを通り、垂直な軌道に沿って、一緒に移動せしめられる。これに対し、図示されない別の実施例では、プログラミング装置１３４は、水平面内又は垂直面内に整列して配置されたマガジンを有し、マガジンは、垂直又は水平面内に連続して配置されたステーションを有している。その際、個々のデータキャリアは、円軌道のようなエンドレスの曲線状軌道に沿って移動せしめられる。
【００７７】
図５乃至図７に示された第三の実施例による装置２１０において、プログラミング装置１３４は、直線状のかつ実質上水平な１つの軌道に沿って案内され、移動せしめられる、ステーション１４２を備えたマガジン１４１を有する。プログラミングユニット１３６は、ステーション１４２と関係付けられる。データキャリア１１は、供給装置１３により、プログラミング装置１３４に供給され、そこから搬出装置１４により搬出される。この場合、供給装置１３及び搬出装置１４は、搬送突起１８を備えた、例えば搬送ベルト１６、１７を有する。特に身分証明書のようなデータキャリア１１は、供給装置１３により、水平姿勢で供給され、搬出装置１４により搬出され得る。この場合、データキャリア１１は、プログラミング装置１３４の引渡領域において、直立姿勢となるので、特に身分証明書のようなデータキャリア１１は、垂直面内で縦長に延びるプログラミング装置１３４に供給され、加工の後、ここから引き渡される。
【００７８】
図５に示すマガジン１４１は、供給軌道及び搬出軌道の間において、これらの軌道を横切って配置され、かつ運動せしめられ得るようになっている。水平姿勢にある、特に身分証明書のようなデータキャリア１１の供給に基づいて、データキャリア１１は、マガジン１４１の個々のステーション１４２内に、それぞれ垂直な姿勢で取り入れられ、かつ保持されるようになっている。
【００７９】
マガジン１４１は、基板２５０と、この基板に接続して保持され、そこから突出する側板２５１を有する。側板２５１のそれぞれの間に形成された間隙２５２は、縦長の姿勢のデータキャリア１１を取り込む。この配置に基づき、これらの構成は、図７の側面図に示すような実質上櫛形状となる。従って、データキャリア１１は、場所をとらずに、隙間２５２の中に格納される。図４において、基板２５０は上に進行するので、間隙２５２は下向きに開放されている。それによって、データキャリア１１は各間隙２５２の中の、少なくとも１つのクランプヘッド２５３により、吊り下げ状態で保持される。各クランプヘッド２５３は、基板２５０の掛け金機構を備えた固定具２５４に対して配置される。
【００８０】
各側板２５１は、概略を図示されたアンテナ２５５及び遮蔽部材２５６を有する。この場合、それぞれの側板２５１及び側板２５１より成るステーション１４２、特に間隙２５２は、プログラミングユニット１３６に関係付けられていて、プログラミングユニット１３６は、概略を図示された電気的接続線２５７により、それぞれアンテナ２５５に接続されている。
【００８１】
マガジン１４１は、概略を図示された駆動装置１３８、例えば駆動歯車２６０及びラック２６１を備えた駆動モーター２５９を有していることによって、矢印２５８の方向に駆動せしめられる。ラック２６１はマガジン１４１、特に基板２５０に沿って配置され、駆動歯車２６０により、矢印２５８の方向へ移動せしめられる。その際、マガジン１４１は、側板２５１の面を横切る方向に沿って運動せしめられる。
【００８２】
マガジン１４１、特に側板２５１を備えた基板２５０は、データキャリア１１の供給面に対して運動せしめられ、基板２５０は固定部材２６３に両面保持される。固定部材２６３は、例えば垂直支柱２６４に沿って、矢印２６２の垂直方向へ動かし得る。
【００８３】
マガジン１４１の領域内には、実質上データキャリア１１の搬送軌道の高さレベルにおいて、下側の支持装置２６５が設けられる。支持装置２６５によって、データキャリア１１はそれぞれ下側から支持されて、搬送軌道からクランプヘッド２５３まで持上げられ、クランプヘッド２５３によって保持される。加工がなされた後、データキャリア１１は支持部材２６５により、再び下向きに、搬送軌道上まで下げられる。支持装置２６５は、例えば下側に配置される駆動装置２６６によって、回転可能に、並びに上下運動可能に配置されている。支持装置２６５は、マガジン１４１の方向に沿って、搬送軌道から横方向に間隔をあけて配置されている。更に、支持装置２６５は、支持円板２６７を有している。支持円板２６７は、例えば実質上星形に形成されていて、個々の突出したアーム２６８を備えている。アーム２６８は回転運動により、次々間欠的に、下側支持部材として搬送軌道の領域内及びデータキャリア１１の下側において、運動可能となっている。この場合、支持ユニット２６５の少しの上昇運動により、データキャリア１１は搬送軌道から持ち上げられ、可動クランプヘッド２５３に保持されるまで下側支持される。加工の後、データキャリア１１は、クランプヘッド２５３から開放され、アーム２６８により取り込まれる。データキャリア１１は、支持ユニット２６５の少しの下降運動により、再び搬送軌道上に向かって下方に移動せしめられる。
【００８４】
供給装置１３により、例えば水平かつ横長な姿勢で載せられた、特に身分証明書のようなデータキャリア１１は、引き渡し前に、プログラミング装置１３４において、直立かつ縦長な姿勢にせしめられる。データキャリア１１は、マガジン１４１の領域に到達するとすぐに、支持ユニット２６５により持ち上げられ、関係するクランプヘッド２５３により挟持され、マガジン１４１内の間隙２５２中に格納される。プログラミング装置１３４、特にプログラミングユニット１３６により、マガジン１４１において、個々のデータキャリア１１の加工が行われる。供給と搬出は、図４の実施例に基づいて説明された装置１１０と同様になされる。データキャリア１１のステーション１４２への格納、プログラミング及び引き渡し、ステーション１４２のデータキャリア１１、並びに搬出装置１４への戻し搬送に関しても、装置１１０と同様の方法がとられる。その際、支持ユニット２６５上にあるデータキャリア１１は、クランプ２５３により下側開放状態で保持される。そして、データキャリア１１は、支持ユニット２６５の下降運動により、搬送軌道上に戻される。身分証明書のような形態のデータキャリアは、直立かつ縦長な姿勢でプログラミング装置上及び搬出装置１４上に戻し搬送される。搬出装置１４上に戻し搬送される際、データキャリア１１は再び水平姿勢にせしめられ得る。
【００８５】
装置２１０は、シンプルで、場所をとらず、コスト的に有利であり、かつ的確に作動する。装置２１０は、とりわけその構造が単純であるという利点を有している。
【図面の簡単な説明】
【００８６】
【図１】本発明の第一の実施例による、データキャリアを加工する装置を示す平面図である。
【図２】図１における矢印IIの方向から見た、装置の一部の正面図である。
【図３】図１における矢印IIIの方向から見た、装置の一部の側面図である。
【図４】本発明の第二の実施例による、データキャリアを加工する装置を示す側面図である。
【図５】本発明の第三の実施例による、データキャリアを加工する装置を示す平面図である。
【図６】図５における矢印VIの方向から見た、装置の側面図である。
【図７】図６における矢印VIIの方向から見た、装置の一部を示した図である。
【符号の説明】
【００８７】
１０    装置
１１    データキャリア
１２    集積回路（ＩＣ）
１３    供給装置
１４    搬出装置
１６、１７    コンベヤーベルト
１８、３３    搬送突起
２０    引渡装置
２１    取込装置
２２    搬送ベルト
２７、２８    搬送装置
２９、３０    搬送軌道
３４、３５    プログラミング装置
３６、３７    プログラミングユニット
【図１】
2005322197.tif 000003
【図２】
2005322197.tif 000004
【図３】
2005322197.tif 000005
【図４】
2005322197.tif 000006
【図５】
2005322197.tif 000007
【図６】
2005322197.tif 000008
【図７】
2005322197.tif 000009